(57)【要約】【課題】  腹部の張りや腰を曲げる際にベルトの締まり具合を自動的に微調整し、随時適切な締まり具合を保つことのできる、自動微調整機能を備えた、操作が簡単なベルトのバックルの提供。【解決手段】  一体成形により成る殼体を備え、該殼体底面に通孔及び軌道を設け、殼体上面の前記通孔に対応する位置にネジ孔を設けると共に、位置回復装置の木片の外囲に被覆した板状バネの外端に開設した円孔と、スライド座体の湾曲部を嵌合しピンを穿通して連結し、該スライド座体後方の固定孔とベルト末端に設けたベルト通孔にスライド棒を穿通して固定し、これらを前記殻体内に設置すると共に、該位置回復装置の木片の中心穴と前記殼体底面の通孔とを合わせ、固定ネジを挿入し、該固定ネジを殼体上面のネジ孔内に螺合して固定し、殼体底面の軌道内に前記スライド棒が滑動自在に若干突出させる。【選択図】  図１
0003101567.tif 000002
【実用新案登録請求の範囲】
【請求項１】
自動微調整可能なベルトのバックルであって、一体成型により製造された殻体と、位置回復装置と、スライド座体とを備え、該殼体底面に通孔と軌道を設け、該通孔に対応する殼体上面にネジ孔を開設し、該殻体内に設置する位置回復装置は板状バネを含み、該板状バネの外端に円孔を設け、前記スライド座体の湾曲部と該円孔を嵌合してピンで連結し、スライド座体とベルトの一端をスライド棒により固定し、これらを殻体内に設置し、さらに、前記殻体底面に設けた前記通孔に固定ネジを穿通し、前記位置回復装置を介して前記殼体上面に設けたネジ孔に螺合して固定し、前記スライド棒は前記殼体底面に設けた軌道内に滑動自在に若干突出した、ベルトのバックル。
【考案の詳細な説明】
【技術分野】
【０００１】
本考案は、ベルトのバックルに関し、特に、一体成形で製造された殻体を含み、留め金部の一端に該殼体を連結し、殼体底面に通孔及び軌道を形成し、殼体上面の前記殼体底面に設けた通孔に対応する位置にネジ孔を設け、ベルトをスライド棒によりスライド座体に固定し、さらに、該スライド座体の前端にピンで板状バネを含んで成る位置回復装置を連結し、該位置回復装置を殻体内に設置し、固定ネジにより殼体上面に螺合して固定し、ベルトが該位置回復装置を引っ張ると、スライド座体に螺合された前記スライド棒が軌道内でスライドし、ベルトとベルトのバックル間に局部的な伸縮を形成し、自動的にベルトの長さが微調整される、ベルトのバックルに関する。
【背景技術】
【０００２】
商工業が発展し、人々の生活が豊かになった今日、過度の飲食や油分過多の飲食が習慣となりがちであり、また、一般的な宴会や食後にくつろいでいるとき、食べ過ぎたために腹部が一時的に膨らみ、ベルトがきつく、体に不快感を与えることがある。このようなとき、ベルトを緩めるのが一般的だが、ベルトのバックルでベルトの締め具合を調整して緩め、一時的に開放感を得ている。然しながら、ベルトを緩めるというこの動作は見た目に優雅さに欠けるだけでなく、一時的な解決の道でしかなく、また、市場でよく見受けられるベルトのバックルは、その機能と設計の運用上において、ほとんどがベルトのバックルの構造上の変更を強調しており、ベルトの前後両端を利用して、挟むか引っ掛ける等の操作方法を用いており、ベルト上に複数個の孔を開設し、これらの孔を締め具合の調整に用いるため、微量の調整ができず、一定の距離を備えた調整となってしまうため、僅かにベルトを緩めたい場合も大きな距離のベルトが外側に出てしまうという不便さがある。
【０００３】
また、別のベルトには、ベルトと長さ調整紐を結合したものがあるが、ベルトのバックル上に支持棒を嵌設して留める構造で、該支持棒を操作しベルトの締め具合を調整する。前述の問題は解決しているものの、ベルトの締まり具合を調整する際、前記支持棒を押す必要があり、腹部が張っているときに調整が必要な僅かな長さを調整するために、この動作が必要となる。このため、前述の従来のベルトでは、その構造及び運用において、現代の消費者の実際の必要性に十分応えることができず、改良が待たれている。
【考案の開示】
【考案が解決しようとする課題】
【０００４】
前述の従来のベルトのバックルの問題に鑑みて、本考案は、一体成形により成る殼体を採用し、腹部の張りや腰を曲げる際にベルトの締まり具合を自動的に微調整し、随時適切な締まり具合を保つことのできる、自動微調整機能を備えた、操作が簡単なベルトのバックルの提供を目的とするものである。
【０００５】
本考案の実施例の目的は、ベルトの通し方（バックルの内側または外側に通す）に合わせ、様々な組み合わせで製造することができ、ベルトの端を外に見せるか、バックル内に隠すかのどちらを採用してもよく、使用者の好みに合わせることができる。
【課題を解決するための手段】
【０００６】
本考案の自動微調整可能なベルトのバックルは、主に一体成形により成る殼体を備え、該殼体底面に通孔及び軌道を設け、殼体上面の前記殼体底面に設けた通孔に対応する位置にネジ孔を設けると共に、位置回復装置の木片の外囲に被覆した板状バネの外端に開設した円孔と、スライド座体の湾曲部を嵌合しピンを穿通して連結し、該スライド座体後方の固定孔とベルト末端に設けたベルト通孔にスライド棒を穿通して固定し、ベルト端に連結された状態の前記位置回復装置及びスライド座体を前記殻体内に設置すると共に、該位置回復装置の木片の中心穴と前記殼体底面の通孔とを合わせ、固定ネジを挿入し、該固定ネジを殼体上面のネジ孔内に螺合して固定し、殼体底面の軌道内に前記スライド棒が若干突出し該軌道内で滑動自在となり、ベルトが引っ張られると前記スライド座体が動かされ、該スライド座体に連結され一体となっている位置回復装置がベルトに一定の微調整距離を持たせ、使用者の腹部の張り具合や腰を曲げたときの状態に合わせた自動的な微調整が可能となり、隨時適切な締め具合を保つ。
【考案の効果】
【０００７】
本考案の自動微調整が可能なベルトのバックルは、後述の実施例から分かるように、ベルトの一端が非固定式となっており、位置回復装置によりベルトに一定長さの自動微調整機能を持たせており、製品の製造、組立て共に簡単であり、いくつかの機械加工済の部品を手または簡単な工具で組み立てるだけで迅速に完成させることができ、その簡単な構造のためにコストを低く抑えることができ、特に、その機能は使用者にとって利便性・実用性共に高く、ベルトを緩めるという優雅さに欠ける動作を必要とせずに、ベルトの締め具合を随時快適に保つことができる。
【考案を実施するための最良の形態】
【０００８】
以下、本考案のバックルの最良の実施例を図面に基づき詳細に説明する。
【実施例１】
【０００９】
図１に示すように、本考案の自動微調整可能な殼体10は、主に一体成形により製造され、殼体上面11と殼体底面12を含む殼体を備え、該殼体底面12は通孔121及び軌道122を備え、該殼体上面11は、該通孔121に対応する位置にネジ孔111を備えている。
【００１０】
前記殼体上面11と殼体底面12を含む殼体10内に設置される位置回復装置20は、円形の木片21の外囲を板状バネ22で被覆して成り、且つ、該板状バネ２２の末端に円孔23を開設し、該円孔23と、L字形を呈するスライド座体30の上方へ湾曲した箇所とを相互に嵌合してピン32により連結する。さらに、該スライド座体30後方の前記殼体底面12に設けた軌道122に対応する位置に２つの固定孔31を開設し、まず該殼体底面に設けた軌道122にスライド棒51を穿通し、該スライド座体30の固定孔31とベルト40の末端に設けたベルト通孔41を対応させ、該スライド棒51を穿通して固定し、さらに、ベルト40の一端に固定された状態の前記位置回復装置20及びスライド座体30を前記殼体１０内に設置する。
【００１１】
前記位置回復装置20の木片21の中心に開設した中心穴と前記殼体底面12に設けた通孔121とを合わせて固定ネジ50を穿通し、該固定ネジ50を前記殼体上面11に設けたネジ孔111内に螺合する。さらに、前記スライド座体30とベルト40先端を固定している前記スライド棒51が、前記殼体底面12の軌道122内に若干突出するよう調整し、ベルト40が前記位置回復装置20を引っ張ると、前記スライド座体30に螺合された前記スライド棒51が、前記殼体底面12の軌道122内において滑動し、ベルト40に局部的な伸縮性を持たせる。本考案の自動微調整可能なベルトのバックルにおいて、ベルトをバックルの外側に通す場合は、前記殼体上面11前端にピンでバックルの留め金部112を連結し、組立て完成後は、図3に示すような外観となる。
【実施例２】
【００１２】
本考案の自動微調整可能なベルトのバックルにおいて、ベルトをバックルの内側に通す場合の実施例を図4に示す。組立て方法については前述の実施例１の説明と符号が参照可能であり、完成後の外観を図６に示す。本考案によれば、前述のように多様な方法でベルトを着用可能であり、ベルト端部を外側に出すスタイルや、バックルの内側に隠すスタイル等から、使用者はその必要や好みに応じて選択して購入でき、適用性が向上される。
【００１３】
前述のベルト端部を外側に出す場合と、内側に通す場合について、それぞれ図２及び５に基づきその実施例を説明する。前述の組立て後の微調整可能な殼体10は、まず、位置回復装置20の木片21外囲を被覆する板状バネ22の末端に開設した円孔23と、スライド座体30の湾曲箇所を嵌合してピン32で接続し、殼体底面12の軌道122とスライド座体30後方の固定孔31を対応させ、且つ、ベルト40の末端のベルト通孔41とスライド座体30の固定孔31を対応させて、スライド棒51によりこれらを固定し、これらを上下殻体内に設置する。さらに、固定ネジ50を殼体底面の通孔121に穿通し、前記位置回復装置の木片２１の中心穴を貫通して、前記殼体上面11のネジ孔111に螺合する。
【００１４】
ベルト40末端とスライド座体30はスライド棒51により固定されており、該スライド棒51が殼体底面12の軌道122内に若干突出しているため、ベルト40が引っ張られると、該ベルト40とスライド座体30を固定している該スライド棒51が、殼体底面12の軌道122内で滑動し、また前記位置回復装置20は板状バネ22で木片21の外囲を被覆した構造であるため、伸縮性を備えており、これにより、ベルト40は若干の調整距離を得、ベルトを隨時最適な締め具合に保つことができる。
【００１５】
以上、本考案の最良の実施例を図面に基づき説明してきたが、前述の実施例は本考案の実施範囲を制限するものではなく、本考案の要旨から逸脱しない範囲内おけるあらゆる変化や修飾も、本考案の特許請求範囲に含まれるものとする。
【図面の簡単な説明】
【００１６】
【図１】本考案の立体透視分解図である。
【図２】本考案の上面及び側面透視図である。
【図３】本考案の立体外観図である。
【図４】本考案の別の実施例の立体透視分解図である。
【図５】図4の上面及び側面透視図である。
【図６】図4の立体外観図である。
【符号の説明】
【００１７】
10        殼体
11        殼体上面
111       ネジ孔
112       留め金部
12        殼体底面
121       通孔
122       軌道
20        位置回復装置
21        木片
22        板状バネ
23        円孔
30        スライド座体
31        固定孔
32        ピン
40        ベルト
41        ベルト通孔
50        固定ネジ
51        スライド棒
【図１】
0003101567.tif 000003
【図２】
0003101567.tif 000004
【図３】
0003101567.tif 000005
【図４】
0003101567.tif 000006
【図５】
0003101567.tif 000007
【図６】
0003101567.tif 000008